(57)【要約】【課題】乗車券を購入する利用者に煩わしさを感じさせない技術を提供する。【解決手段】携帯端末２は、券売機１が繰り返し送信している予め定めた基準レベルの誘導電波を誘導電波受信部２５で受信する。携帯端末２は、無線通信部２６が券売機１に対して乗車券の発券要求を送信する。さらに、携帯端末２は、制御部２１が、誘導電波受信部２５で受信している誘導電波の受信レベルが設定レベルよりも小さければ、無線通信部２６における発券要求の送信を禁止する。【選択図】図１
2018010342.tif 000002
【特許請求の範囲】
【請求項１】
券売機が繰り返し送信している予め定めた基準レベルの誘導電波を受信する誘導電波受信部と、
前記券売機に対して乗車券の発券要求を送信する送信部と、
前記誘導電波受信部で受信している前記誘導電波の受信レベルが設定レベルよりも小さければ、前記送信部における前記発券要求の送信を禁止する制御部と、を備えた携帯端末。
【請求項２】
前記制御部は、前記誘導電波受信部で受信している前記誘導電波の受信レベルが設定レベルよりも大きければ、前記送信部における前記発券要求の送信を許可する、請求項１に記載の携帯端末。
【請求項３】
前記誘導電波受信部で受信している前記誘導電波の受信レベルの大きさに応じて、前記券売機に誘導する案内を行う案内部を備えた、請求項１、または２に記載の携帯端末。
【請求項４】
前記送信部は、言語の種類を示す言語情報を含む前記発券要求を送信する、請求項１〜３のいずれかに記載の携帯端末。
【請求項５】
前記送信部は、降車駅を示す降車駅情報を含む前記発券要求を送信する、請求項１〜４のいずれかに記載の携帯端末。
【請求項６】
前記送信部は、乗車券の発券にともなう取引金額の決済方法を示す決済情報を含む前記発券要求を送信する、請求項１〜５のいずれかに記載の携帯端末。
【請求項７】
請求項１〜６のいずれかに記載の携帯端末から送信されてきた、乗車券の発券要求を受信する無線通信部と、
予め定めた基準レベルの前記誘導電波を繰り返し送信する誘導電波送信部と、
前記無線通信部で受信した乗車券の発券要求に応じた発券処理を制御する制御部と、を備えた券売機。
【請求項８】
請求項１〜６のいずれかに記載の携帯端末と、
請求項７に記載の券売機と、を備えた券売システム。
【請求項９】
券売機が繰り返し送信している予め定めた基準レベルの誘導電波を誘導電波受信部で受信する誘導電波受信ステップと、
送信部が前記券売機に対して乗車券の発券要求を送信する送信ステップと、
前記誘導電波受信部で受信している前記誘導電波の受信レベルが設定レベルよりも小さければ、前記送信部における前記発券要求の送信を禁止する送信制限ステップと、を備えた誘導方法。
【請求項１０】
券売機が繰り返し送信している予め定めた基準レベルの誘導電波を誘導電波受信部で受信する誘導電波受信ステップと、
送信部が前記券売機に対して乗車券の発券要求を送信する送信ステップと、
前記誘導電波受信部で受信している前記誘導電波の受信レベルが設定レベルよりも小さければ、前記送信部における前記発券要求の送信を禁止する送信制限ステップと、をコンピュータに実行させる誘導プログラム。
【発明の詳細な説明】
【技術分野】
【０００１】
この発明は、駅等においてキップ等の乗車券を発券する技術に関する。
【背景技術】
【０００２】
従来、鉄道等の公共交通機関の駅には、利用者に対してキップ等の乗車券を販売する券売機が設置されている。券売機の近くには、鉄道の利用にかかる運賃を表記した運賃表示板が取り付けられている。運賃表示板は、例えば鉄道網の路線図上に示した駅毎に、自駅からの運賃を表記している。利用者は、券売機で乗車券を購入するとき、運賃表示板によって降車駅までの運賃を確認する。
【０００３】
路線網が複雑である地域では、利用者が路線図に表記されている降車駅を見つけるのに時間がかかることがある。その結果、利用者が乗車券を購入するのに要する時間が長くなり、券売機の処理効率を低下させる。
【０００４】
また、降車駅を含む乗車券の購入情報を携帯端末に事前に登録しておき、この携帯端末から購入情報を券売機に入力することによって、券売機で入力した購入情報に応じた乗車券が購入できるシステムが種々提案されている（特許文献１〜４等参照）。特許文献１は、乗車券の購入情報を示す２次元バーコードを携帯端末の表示部に表示し、この２次元バーコードを券売機に読み取らせる構成である。特許文献２〜４は、乗車券の購入情報を携帯端末から券売機に無線で送信する構成である。
【先行技術文献】
【特許文献】
【０００５】
【特許文献１】２０１３−１５２６５０号公報
【特許文献２】２００２−  ４９９３９号公報
【特許文献３】２００７−２４１３８７号公報
【特許文献４】２００２−２８８６９４号公報
【発明の概要】
【発明が解決しようとする課題】
【０００６】
しかしながら、特許文献１〜４等は、利用者が券売機で行う乗車券の購入にかかる操作を簡単にする構成であって、利用者が乗車券の購入にかかる操作を無駄なく、スムーズに行えるようにすることまで考慮していない。すなわち、特許文献１〜４等は、利用者による携帯端末の無駄な操作を抑制するものではなかった。このため、利用者が乗車券の購入にかかる操作に煩わしさを感じることがあった。
【０００７】
この発明の目的は、乗車券を購入する利用者が煩わしさを感じるのを抑制する技術を提供することにある。
【課題を解決するための手段】
【０００８】
この発明は、上記目的を達するため、以下のように構成している。
【０００９】
携帯端末は、誘導電波受信部において、券売機が繰り返し送信している予め定めた基準レベルの誘導電波を受信する。また、送信部が、券売機に対して乗車券の発券要求を送信する。さらに、制御部は、誘導電波受信部で受信している誘導電波の受信レベルが設定レベルよりも小さければ、送信部における発券要求の送信を禁止する。
【００１０】
なお、制御部は、誘導電波受信部で受信している誘導電波の受信レベルが設定レベルよりも大きければ、送信部における発券要求の送信を許可する構成にすればよい。
【００１１】
この設定レベルは、券売機（誘導電波の送信アンテナ）との相対的な距離が数十ｃｍ（例えば、２０〜５０ｃｍ程度）であるときの誘導電波の受信レベルに設定すればよい。このように設定すれば、携帯端末を所持している利用者は、券売機に数十ｃｍまで接近しないと、券売機に対して乗車券の発券要求を送信することができない。したがって、利用者は、券売機に数十ｃｍまで接近していないときに、乗車券の発券要求を送信する無駄な操作を行うのを防止できる。これにより、利用者が煩わしさを感じるのを抑制できる。
【００１２】
また、携帯端末は、誘導電波受信部で受信している前記誘導電波の受信レベルの大きさに応じて、前記券売機に誘導する案内を行う案内部を備える構成にしてもよい。誘導電波受信部で受信している誘導電波の受信レベルが第１のレベルよりも小さいときには、利用者に券売機に近づくことを促す案内を行えばよい。これにより、利用者を券売機までスムーズに移動させることができる。
【００１３】
また、送信部が送信する発券要求に、言語の種類を示す言語情報、降車駅を示す降車駅情報、乗車券の発券にともなう取引金額の決済方法を示す決済情報等を含ませてもよい。
【００１４】
また、この発明にかかる券売機は、無線通信部が、携帯端末から送信されてきた、乗車券の発券要求を受信する。誘導電波送信部が、予め定めた基準レベルの誘導電波を繰り返し送信する。そして、制御部が、無線通信部で受信した乗車券の発券要求に応じた発券処理を制御する。
【発明の効果】
【００１５】
この発明によれば、券売機で乗車券を購入する利用者が煩わしさを感じるのを抑制することができる。
【図面の簡単な説明】
【００１６】
【図１】券売システムを示す概略図である。
【図２】券売機の主要部の構成を示すブロック図である。
【図３】券売機の外観を示す概略図である。
【図４】携帯端末の主要部の構成を示すブロック図である。
【図５】図５（Ａ）は、携帯端末を所持している利用者が券売機に近づく状態を示した模式図であり、図５（Ｂ）は、携帯端末における誘導電波の受信強度を示す図であり、図５（Ｃ）は、券売機における誘導電波の送信強度を示す図である。
【図６】券売機の動作を示すフローチャートである。
【図７】携帯端末の動作を示すフローチャートである。
【図８】第１の誘導メッセージを表示している携帯端末の表示画面例を示す図である。
【図９】第２の誘導メッセージを表示している携帯端末の表示画面例を示す図である。
【図１０】第３の誘導メッセージを表示している携帯端末の表示画面例を示す図である。
【発明を実施するための形態】
【００１７】
以下、この発明の実施形態である券売システムについて説明する。
【００１８】
図１は、券売システムを示す概略図である。この券売システムは、券売機１と、携帯端末２とを備えている。券売機１は、駅の改札口近くに設けられた乗車券売り場に設置されている。乗車券売り場に設置されている券売機１の台数は、１台であってもよいし、複数台であってもよい。図１では、複数台の券売機１が並べて設置されている乗車券売り場を例示している。
【００１９】
携帯端末２は、利用者が所持する、スマートフォンや携帯電話である。この携帯端末２には、この発明にかかる誘導プログラムがインストールされている。携帯端末２の制御部２１が、この発明にかかる誘導プログラムを実行するコンピュータを有する。また、この制御部２１が備えるコンピュータが、この発明にかかる誘導方法を実行する。
【００２０】
図２は、券売機の主要部の構成を示すブロック図である。図３は、券売機の外観を示す概略図である。券売機１は、制御部１１と、表示部１２と、操作部１３と、発券部１４と、貨幣処理部１５と、カード処理部１６と、誘導電波送信部１７と、無線通信部１８と、通信部１９と、を備えている。この券売機１は、キップ等の乗車券を発券する。券売機１は、乗車券として使用できるＩＣカードに対するチャージ（入金）等の公知の処理も行える。
【００２１】
制御部１１は、券売機１本体が備える各部を制御する。
【００２２】
表示部１２は、本体正面に設けた表示器１２ａを有し、この表示器１２ａにおける画面表示を制御する。表示部１２は、表示器１２ａにおける画面表示を、日本語、英語、中国語、ドイツ語等の複数の言語の中から、指定された言語で行える。
【００２３】
操作部１３は、表示器１２ａの画面上に貼付したタッチパネル１３ａや、テンキーを有するキー操作部１３ｂ等の入力デバイスを有する。操作部１３は、入力デバイスにおける利用者の入力操作を検出し、これを制御部１１に通知する。
【００２４】
発券部１４は、乗車券を発券する。券売機１は、発券口１４ａを本体正面に設けている。発券部１４は、利用者に対して発券する乗車券を発券口１４ａに放出する。
【００２５】
貨幣処理部１５は、硬貨、および紙幣を処理する。具体的には、貨幣処理部１５は、乗車券の発券等にかかる取引金額の精算に用いる硬貨を受け付けるとともに、利用者に対して釣銭硬貨の放出を行う硬貨処理部と、乗車券の発券等にかかる取引金額の精算に用いる紙幣を受け付けるとともに、利用者に対して釣銭紙幣の放出を行う紙幣処理部と、を備える。券売機１は、硬貨投入口１５ａ、釣銭硬貨受皿１５ｂ、紙幣投入口１５ｃ、および紙幣放出口１５ｄを本体正面に設けている。硬貨投入口１５ａは、複数枚（２〜３枚程度）の硬貨が重なった状態であっても、券売機１本体に投入できる形状である。貨幣処理部１５は、利用者が投入した投入硬貨や、利用者に対して釣銭として放出する釣銭硬貨について、金種や真偽を識別する硬貨識別部を有している。また、貨幣処理部１５は、紙幣投入口１５ｃにおいて利用者が投入した投入紙幣や、紙幣放出口１５ｄにおいて利用者に放出する釣銭紙幣について、金種や真偽を識別する紙幣識別部を有している。
【００２６】
カード処理部１６は、乗車券として利用できる非接触式ＩＣカードや、クレジットカード等の決済カードを処理する。券売機１は、カード挿入／放出口１６ａを本体正面に設けている。カード処理部１６は、カード挿入／放出口１６ａにおいて挿入された非接触式ＩＣカードのＩＣに対してカードデータの読み取りやカードデータの書き込みを行う機能を有している。また、カード処理部１６は、カード挿入／放出口１６ａにおいて挿入された接触式ＩＣカードのＩＣに対してカードデータの読み取りやカードデータの書き込みを行う機能を有している。さらには、カード処理部１６は、カード挿入／放出口１６ａにおいて挿入された磁気カードの磁気ストライプに対してカードデータの読み取りやカードデータの書き込みを行う機能を有している。これらの機能を実現する構成については、公知であるので、ここでは詳細な説明を省略する。
【００２７】
誘導電波送信部１７は、予め定めた基準レベルの誘導電波を数十ｍｓｅｃ周期（例えば、１０〜３０ｍｓｅｃ周期）で繰り返し送信する。誘導電波送信部１７は、アンテナ１７ａを本体正面に設けている。アンテナ１７ａを設けている領域（以下、端末接近領域と言う。）は、利用者が簡単に認識できるように、「端末接近領域」と記載してあってもよいし、色等を異ならせることによって周辺の領域と区別してあってもよい。
【００２８】
無線通信部１８は、携帯端末２との間における無線通信を行う。無線通信部１８は、誘導電波送信部１７のアンテナ１７ａを共用する構成であってもよいし、誘導電波送信部１７のアンテナ１７ａとは別に設けてもよい。また、誘導電波送信部１７および、無線通信部１８は、１つの無線通信部で構成してもよい。誘導電波送信部１７および、無線通信部１８は、通信エリアが数ｍ（５〜１０ｍ程度）確保できればよい。
【００２９】
通信部１９は、ネットワークを介して接続される、図示していない自動改札機や駅サーバ等の他の種類の駅務機器や、他の券売機１との間における通信を行う。また、通信部１９は、乗車券の発券にともなう運賃をクレジットカード等でカード決済するときに、直接、または駅サーバを介してカード会社等との間で取引の認証を行う。
【００３０】
図４は、携帯端末の主要部の構成を示すブロック図である。携帯端末２は、制御部２１と、表示部２２と、操作部２３と、通信部２４と、誘導電波受信部２５と、無線通信部２６とを備えている。制御部２１は、携帯端末２本体各部の動作を制御する。表示部２２は、携帯端末２本体に設けた表示器の画面表示を制御する。表示部２２が、この発明で言う案内部に相当する。操作部２３は、表示器の画面上に貼り付けたタッチパネルを有し、タッチパネル上におけるユーザの操作を検知する。通信部２４は、携帯電話網を介した電話通信や、インタネット上のサーバ等とのデータ通信等を行う。
【００３１】
誘導電波受信部２５は、券売機１が送信している誘導電波を受信するとともに、誘導電波の受信強度を検出する。無線通信部２６は、券売機１の無線通信部１８との間で無線通信を行う。誘導電波受信部２５および、無線通信部２６のアンテナは共通であってもよいし、個別に設けてもよい。また、誘導電波受信部２５および、無線通信部２６は、１つの無線通信部で構成してもよい。誘導電波受信部２５および、無線通信部２６は、券売機１の無線通信部１８と同様に通信エリアが数ｍ（５〜１０ｍ程度）確保できればよい。無線通信部２６が、この発明で言う送信部に相当する。
【００３２】
ここで、券売機１と、携帯端末２との距離と、携帯端末２における誘導電波の受信強度との関係について説明する。図５（Ａ）は、携帯端末を所持している利用者が券売機に近づく状態を示した模式図であり、図５（Ｂ）は、携帯端末における誘導電波の受信強度を示す図であり、図５（Ｃ）は、券売機における誘導電波の送信強度を示す図である。
【００３３】
図５（Ｃ）に示すように、券売機１は、誘導電波送信部１７において、基準レベルの誘導電波を一定時間間隔（例えば、１０〜３０ｍｓｅｃ周期）で繰り返し送出する。この誘導電波には、券売機１を識別する券売機ＩＤが乗せられている。
【００３４】
図５（Ａ）、（Ｂ）に示すように、携帯端末２を所持している利用者が券売機１に近づくにつれて（携帯端末２が誘導電波送信部１７のアンテナ１７ａに近づくにつれて、）、この携帯端末２の誘導電波受信部２５で受信される誘導電波の受信強度が大きくなる。携帯端末２は、誘導電波受信部２５で受信している誘導電波の受信強度が第１の閾値ｔｈ１を越えると、この携帯端末２を所持している利用者を券売機１に誘導する案内を行う。言い換えれば、携帯端末２は、誘導電波受信部２５で受信している誘導電波の受信強度が第１の閾値ｔｈ１を越えていなければ、この携帯端末２を所持している利用者を券売機１に誘導する案内を行わない。第１の閾値ｔｈ１は、携帯端末２と誘導電波送信部１７のアンテナ１７ａとの距離が５ｍ程度であるときに、誘導電波受信部２５で受信される誘導電波の受信強度である。
【００３５】
また、携帯端末２は、誘導電波受信部２５で受信している誘導電波の受信強度が第２の閾値ｔｈ２（第１の閾値ｔｈ１＜第２の閾値ｔｈ２）を越えると、この携帯端末２を券売機１の端末接近領域に近づけることを案内する。第２の閾値ｔｈ２は、携帯端末２と誘導電波送信部１７のアンテナ１７ａとの距離が１ｍ程度であるときに、誘導電波受信部２５で受信される誘導電波の受信強度である。
【００３６】
さらに、携帯端末２は、誘導電波受信部２５で受信している誘導電波の受信強度が第３の閾値ｔｈ３（第２の閾値ｔｈ２＜第３の閾値ｔｈ３）を越えると、券売機１に対する乗車券購入情報の送信を許可する。言い換えれば、携帯端末２は、誘導電波受信部２５で受信している誘導電波の受信強度が第３の閾値ｔｈ３を越えていなければ、券売機１に対する乗車券購入情報の送信を禁止する。第３の閾値ｔｈ３は、携帯端末２と誘導電波送信部１７のアンテナ１７ａとの距離が３０ｃｍ程度であるときに、誘導電波受信部２５で受信される誘導電波の受信強度である。この第３の閾値ｔｈ３が、この発明で言う設定レベルである。
【００３７】
また、携帯端末２は、乗車券購入情報を事前に登録し、制御部２１のメモリ（不図示）に記憶させておくことができる。この乗車券購入情報には、使用言語（日本語、英語、中国語、ドイツ語等）、降車駅（東京駅、秋葉原駅、有楽町駅、神田駅等）、券種（キップ、往復券等）、発券枚数（大人の枚数、および子供の枚数）、決済方法（現金、ＳＦカード、クレジットカード等）等の項目が含まれている。利用者は、携帯端末２で所定の操作を行うことで、これらの項目の内容を事前に登録することができる。また、携帯端末２は、表示器における表示が指定した言語で行える構成である。
【００３８】
以下、この券売システムにおける券売機１、および携帯端末２の動作について説明する。図６は、券売機の動作を示すフローチャートである。図７は、携帯端末の動作を示すフローチャートである。券売機１は、図６に示す処理を稼動時に常時実行する。携帯端末２は、図７に示す処理を常時実行する構成であってもよいし、利用者によって所定の操作が行われたタイミングで実行する構成であってもよい。
【００３９】
券売機１は、図５（Ｃ）に示したように、誘導電波送信部１７において、基準レベルの誘導電波を一定時間間隔で繰り返し送出している。券売機１は、図６に示すように、無線通信部１８において携帯端末２から送信されてきた接続要求を受信するか、操作部１３において利用者による発券操作が行われるのを待つ（ｓ１、ｓ２）。券売機１は、利用者が操作部１３において発券操作を行うと、この発券操作に応じて乗車券を発券する発券処理を行い（ｓ９）、ｓ１に戻る。ｓ９における発券処理は、公知の券売機と同様であるので、ここでは詳細な説明を省略する。
【００４０】
携帯端末２は、図７に示すように、誘導電波受信部２５で受信した誘導電波の受信強度を計測する（ｓ２１）。携帯端末２は、受信した誘導電波の受信強度が第１の閾値ｔｈ１未満であるかどうか判定する（ｓ２２）。携帯端末２は、受信した誘導電波の受信強度が第１の閾値ｔｈ１未満であれば、ｓ２１に戻る。上述したように、第１の閾値ｔｈ１は、携帯端末２と誘導電波送信部１７のアンテナ１７ａとの距離が５ｍ程度であるときに、誘導電波受信部２５で受信される誘導電波の受信強度である。
【００４１】
したがって、携帯端末２は、券売機１から比較的離れていると（５ｍを越えて離れていると、）、ｓ２１、ｓ２２に処理を繰り返す。また、携帯端末２は、処理負荷を低減するため、この時点では、受信した誘導電波に乗せられている券売機１の識別コードを取得する処理を行わない構成にするのが好ましい。
【００４２】
なお、携帯端末２は、この時点では、後述する発券要求の送信を禁止している。
【００４３】
携帯端末２は、誘導電波の受信強度が第１の閾値ｔｈ１未満でなければ、誘導電波の受信強度が第２の閾値ｔｈ２未満であるかどうかを判定する（ｓ２３）。携帯端末２は、第２の閾値ｔｈ２未満であれば、すなわち誘導電波の受信強度が第１の閾値ｔｈ１以上であり、且つ第２の閾値ｔｈ２未満であると、表示部２２が第１の誘導メッセージを表示器に表示し（ｓ２４）、ｓ２１に戻る。上述したように、第２の閾値ｔｈ２は、携帯端末２と誘導電波送信部１７のアンテナ１７ａとの距離が１ｍ程度であるときに、誘導電波受信部２５で受信される誘導電波の受信強度である。すなわち、携帯端末２は、誘導電波送信部１７のアンテナ１７ａとの距離が１ｍ〜５ｍ程度であるとき、表示部２２がｓ２４で第１の誘導メッセージを表示器に表示する。
【００４４】
携帯端末２は、券売機１にある程度近づいていると（１ｍ〜５ｍの範囲に位置していると、）、ｓ２１〜ｓ２４の処理を繰り返し、表示部２２が第１の誘導メッセージを表示器に表示しつづける。
【００４５】
図８は、第１の誘導メッセージを表示している携帯端末の表示器の画面例を示す図である。図８に示すように、携帯端末２の表示器には、第１の誘導メッセージと、乗車券購入情報とが表示されている。第１の誘導メッセージは、利用者に対して券売機１に近づくことを促すメッセージであるが、特定の券売機１に近づくことを促すものではない。したがって、利用者は、自分自身がスムーズに移動できる券売機１を確認し、その券売機１に近づけばよい。図８に示す例では、第１の誘導メッセージは、「券売機に近づいてください。」である。また、携帯端末２の表示器に表示されている乗車券購入情報は、利用者が事前に登録し、制御部２１のメモリに記憶させていた情報（これから購入する乗車券の情報）である。
【００４６】
なお、携帯端末２は、設定されている言語で、第１の誘導メッセージ、および乗車券購入情報を表示器に表示する。したがって、利用者は、自分自身が認識できる言語で案内される。また、携帯端末２は、処理負荷を低減するため、この時点では、受信した誘導電波に乗せられている券売機１の識別コードを取得する処理を行わない構成にするのが好ましい。また、携帯端末２は、この時点では、後述する発券要求の送信を禁止している。
【００４７】
また、携帯端末２は、誘導電波の受信強度が第２の閾値ｔｈ２未満でなければ、誘導電波の受信強度が第３の閾値ｔｈ３未満であるかどうかを判定する（ｓ２５）。携帯端末２は、第３の閾値ｔｈ３未満であれば、すなわち誘導電波の受信強度が第２の閾値ｔｈ２以上であり、且つ第３の閾値ｔｈ３未満であると、表示部２２が第２の誘導メッセージを表示器に表示し（ｓ２６）、ｓ２１に戻る。上述したように、第３の閾値ｔｈ３は、携帯端末２と誘導電波送信部１７のアンテナ１７ａとの距離が３０ｃｍ程度であるときに、誘導電波受信部２５で受信される誘導電波の受信強度である。すなわち、携帯端末２は、誘導電波送信部１７のアンテナ１７ａとの距離が３０ｃｍ〜１ｍ程度であるとき、表示部２２がｓ２６で第２の誘導メッセージを表示器に表示する。
【００４８】
携帯端末２は、券売機１にある程度接近すると（３０ｃｍ〜１ｍの範囲に位置していると、）、ｓ２１〜ｓ２６の処理を繰り返し、表示部２２が第２の誘導メッセージを表示器に表示しつづける。
【００４９】
図９は、第２の誘導メッセージを表示している携帯端末の表示器の画面例を示す図である。図９に示すように、携帯端末２の表示器には、第２の誘導メッセージと、乗車券購入情報とが表示されている。第２の誘導メッセージは、利用者に対して携帯端末２を券売機１の端末接近領域に接近させることを促すメッセージである。図９に示す例では、第２の誘導メッセージは、「携帯端末を端末接近領域に接近させてください。」である。
【００５０】
なお、携帯端末２は、設定されている言語で、第２の誘導メッセージ、および乗車券購入情報を表示器に表示する。また、携帯端末２は、処理負荷を低減するため、この時点でも、受信した誘導電波から券売機１の識別コードを取得する処理を行わない構成にするのが好ましい。また、携帯端末２は、この時点においても、後述する発券要求の送信を禁止している。
【００５１】
また、携帯端末２は、誘導電波の受信強度が第３の閾値ｔｈ３未満でなければ（すなわち、第３の閾値ｔｈ３以上であれば）、発券要求の送信を許可するとともに、第３の誘導メッセージを表示器に表示する（ｓ２７、ｓ２８）。また、携帯端末２は、ｓ２７で受信した誘導電波から券売機１の識別コードを取得する。また、携帯端末２は、ｓ２７で発券要求の送信を許可したことにより、表示部２２が確定送信ボタン３０、およびキャンセルボタン３１を表示器に表示する。
【００５２】
図１０は、第３の誘導メッセージを表示している携帯端末の表示器の画面例を示す図である。図１０に示すように、携帯端末２の表示器には、第３の誘導メッセージと、乗車券購入情報と、確定送信ボタン３０と、キャンセルボタン３１とが表示されている。第３の誘導メッセージは、利用者に対して確定送信ボタン３０、またはキャンセルボタン３１の操作を促すメッセージである。図１０に示す例では、第３の誘導メッセージは、「確定送信ボタン、またはキャンセルボタンを押して下さい。」である。
【００５３】
このように、携帯端末２は、誘導電波送信部１７のアンテナ１７ａとの距離が３０ｃｍ未満になると、確定送信ボタン３０を表示器に表示し、発券要求の送信を許可する。すなわち、利用者は、携帯端末２と、誘導電波送信部１７のアンテナ１７ａとの距離が３０ｃｍ未満であれば発券要求の送信操作が行え、携帯端末２と、誘導電波送信部１７のアンテナ１７ａとの距離が３０ｃｍ以上であれば発券要求の送信操作が行えない。
【００５４】
携帯端末２は、確定送信ボタン３０が操作されなければ（ｓ２９）、ｓ２１に戻る。ｓ２９では、確定送信ボタン３０、およびキャンセルボタン３１がともに操作されなかった場合だけでなく、キャンセルボタン３１が操作された場合もｓ２１に戻る。
【００５５】
通常、利用者は、キャンセルボタン３１を操作すると、券売機１の前から離れる。しかしながら、利用者が、券売機１から離れているときに、上述した第２の誘導メッセージや第１の誘導メッセージが携帯端末２の表示器に表示されてしまうことがある。このため、携帯端末２は、キャンセルボタン３１が操作された場合、図７に示す処理を、一時的（例えば、５〜１０秒程度）に停止する構成にしてもよい。
【００５６】
携帯端末２は、確定送信ボタン３０が操作されると、券売機１に対して接続要求を送信する（ｓ３０）。この接続要求には、接続を要求する券売機１の識別コードが含まれている。携帯端末２は、誘導電波受信部２５で受信した誘導電波であって、受信強度が第３の閾値ｔｈ３以上であった誘導電波から券売機１の識別コードを取得している。すなわち、利用者が、携帯端末２を端末接近領域に接近させた券売機１に対して、接続要求を送信する。このため、利用者は、この時点で、携帯端末２が接続要求を行う券売機１の正面に位置している。
【００５７】
券売機１は、ｓ２で携帯端末２から送信されてきた接続要求を受信すると、接続許可を携帯端末２に送信する（ｓ３）。券売機１は、無線通信部１８で受信した接続要求に乗せられている識別コードが、自機の識別コードであれば、ｓ１で携帯端末２から送信されてきた接続要求を受信したと判定する。券売機１は、無線通信部１８で受信した接続要求に乗せられている識別コードが、自機の識別コードでなければ、ｓ１で携帯端末２から送信されてきた接続要求を受信していないと判定する。
【００５８】
携帯端末２は、券売機１から接続許可を受信すると、券売機１に対して発券要求を送信する（ｓ３１、ｓ３２）。この例では、携帯端末２は、券売機１から接続許可を受信すると、自動的に券売機１に対して発券要求を送信する構成であるが、この発券要求の送信について、利用者に確認操作を行わせる構成としてもよい。発券要求には、券売機１の識別コード、および乗車券購入情報が含まれている。
【００５９】
券売機１は、携帯端末２から発券要求を受け付けると、発券要求の受付を携帯端末２に返信する（ｓ４、ｓ５）。携帯端末２は、券売機１から発券要求の受付を受信すると、券売機１に対して確定を送信し（ｓ３３、ｓ３４）、ｓ２１に戻る。この例では、携帯端末２は、券売機１から発券要求の受付を受信すると、自動的に券売機１に対して確定を送信する構成であるが、この確定の送信についても、利用者に確認操作を行わせる構成としてもよい。ｓ３４で券売機１に送信する確定にも、券売機１の識別コードが含まれている。
【００６０】
券売機１は、携帯端末２から確定を受信すると、ｓ４で受信した発券要求に基づく乗車券の発券にともなう、決済処理を行う（ｓ６、ｓ７）。ｓ７における決済処理は、現金、ＳＦカード、クレジットカード等による公知の処理である。また、券売機１は、ｓ７で受信した発券要求に含まれている乗車券購入情報の言語情報が示す言語で、決済処理の手順を案内する画面を表示器１２ａに表示する。したがって、利用者は、自分が認識できる言語で決済処理の手順が案内されるので、決済処理にかかる券売機１の操作がスムーズに行える。また、決済処理は、ｓ７で受信した発券要求に含まれている乗車券購入情報の決済方法により決済する。
【００６１】
券売機１は、決済処理が完了すると、ｓ４で受信した発券要求に含まれている乗車券購入情報が示す乗車券を発券部１４で発券する発券処理を行い（ｓ８）、ｓ１に戻る。
【００６２】
このように、この例にかかる券売システムでは、利用者は、携帯端末２と、誘導電波送信部１７のアンテナ１７ａとの距離が３０ｃｍ以上であれば発券要求の送信操作が行えない。すなわち、携帯端末２と、誘導電波送信部１７のアンテナ１７ａとの距離が３０ｃｍ以上であるときに、利用者が、携帯端末２において、発券要求の送信操作を無駄に行うのを防止できる。また、利用者は、券売機１にスムーズに移動することができる。したがって、利用者に煩わしさを感じさせるのを抑制することができる。
【００６３】
なお、券売機１における上述のｓ５、およびｓ６にかかる処理と、携帯端末２における上述のｓ３３、およびｓ３４にかかる処理については、設けていない構成であってもよい。
【符号の説明】
【００６４】
１…券売機
２…携帯端末
１１…制御部
１２…表示部
１２ａ…表示器
１３…操作部
１３ａ…タッチパネル
１３ｂ…キー操作部
１４…発券部
１４ａ…発券口
１５…貨幣処理部
１５ａ…硬貨投入口
１５ｂ…釣銭硬貨受皿
１５ｃ…紙幣投入口
１５ｄ…紙幣放出口
１６…カード処理部
１６ａ…放出口
１７…誘導電波送信部
１７ａ…アンテナ
１８…無線通信部
１９…通信部
２１…制御部
２２…表示部
２３…操作部
２４…通信部
２５…誘導電波受信部
２６…無線通信部
３０…確定送信ボタン
３１…キャンセルボタン
【図１】
2018010342.tif 000003
【図２】
2018010342.tif 000004
【図３】
2018010342.tif 000005
【図４】
2018010342.tif 000006
【図５】
2018010342.tif 000007
【図６】
2018010342.tif 000008
【図７】
2018010342.tif 000009
【図８】
2018010342.tif 000010
【図９】
2018010342.tif 000011
【図１０】
2018010342.tif 000012